(57)【要約】【課題】幅見当調整装置において、ウェブのファンアウトを適正に修正することで印刷品質を向上させる。【解決手段】ウェブＷの幅方向における中央領域に配置される４つの押圧ローラ３３〜３６からなる第１調整ユニット３９と、第１調整ユニット３９よりウェブＷの幅方向における外側領域に配置される４つの押圧ローラ３１，３２，３７，３８からなる第２調整ユニット４４ａ，４４ｂとを設け、第１調整ユニット３９と第２調整ユニット４４ａ，４４ｂによりウェブＷの幅方向における中央領域の押圧量とウェブＷの幅方向における外側領域の押圧量とを異なる値に調整可能（調整手段）とする。【選択図】図１
2011020811.tif 000002
【特許請求の範囲】
【請求項１】
ウェブの幅方向に沿って設けられる複数の押圧部材を、走行するウェブにおける少なくとも一方面から押圧して波状にすることで、ウェブの幅方向における見当を調整する幅見当調整装置において、
ウェブの幅方向における中央領域に配置される複数の前記押圧部材からなる第１調整ユニットと、
該第１調整ユニットよりウェブの幅方向における外側領域に配置される一つ以上の前記押圧部材からなる第２調整ユニットと、
前記第１調整ユニットと前記第２調整ユニットによりウェブの幅方向における中央領域の押圧量とウェブの幅方向における外側領域の押圧量とを異なる値に調整可能な調整手段と、
を備えることを特徴とする幅見当調整装置。
【請求項２】
前記調整手段は、ウェブの幅方向における中央領域の押圧量よりウェブの幅方向における外側領域の押圧量を大きく調整することを特徴とする請求項１に記載の幅見当調整装置。
【請求項３】
前記調整手段は、前記第１調整ユニットと前記第２調整ユニットとをそれぞれ独立して駆動可能な第１駆動装置と第２駆動装置を有することを特徴とする請求項１または２に記載の幅見当調整装置。
【請求項４】
前記調整手段は、前記第１調整ユニットと前記第２調整ユニットとを一体に駆動可能な第１駆動装置と、前記第２調整ユニットのみを駆動可能な第２駆動装置とを有することを特徴とする請求項１または２に記載の幅見当調整装置。
【請求項５】
前記押圧部材は、円板形状をなす押圧ローラであって、前記第１調整ユニットにおける前記押圧ローラの外径より、前記第２調整ユニットにおける前記押圧ローラの外径が大きく設定されることを特徴とする請求項１または２に記載の幅見当調整装置。
【請求項６】
前記押圧部材は、円板形状をなす押圧ローラであって、前記第１調整ユニットにおける単位長さ当たりの前記押圧ローラの個数より、前記第２調整ユニットにおける単位長さ当たりの前記押圧ローラの個数が多く設定されることを特徴とする請求項１または２に記載の幅見当調整装置。
【請求項７】
前記押圧部材は、円板形状をなす押圧ローラであって、前記第２調整ユニットにおける前記押圧ローラは、偏心軸にローラ本体が回転自在に支持され、前記偏心軸の位相を変更することで、押圧量を変更可能であることを特徴とする請求項１または２に記載の幅見当調整装置。
【請求項８】
ウェブの幅方向における最外側に配置される一つの前記押圧部材からなる第３調整ユニットを設け、前記調整手段は、前記第１調整ユニットと前記第２調整ユニットと前記第３調整ユニットとにより、ウェブの幅方向における中央領域の押圧量とウェブの幅方向における外側領域の押圧量とウェブの幅方向における最外側の押圧量とを異なる値に調整可能であることを特徴とする請求項１から７のいずれか一つに記載の幅見当調整装置。
【請求項９】
前記複数の押圧部材は、印刷胴よりもウェブの走行方向における上流側に設けられ、前記第２調整ユニットにおける前記押圧部材は、前記第１調整ユニットにおける前記押圧部材より、前記印刷胴に接近して設けられることを特徴とする請求項１から８のいずれか一つに記載の幅見当調整装置。
【請求項１０】
前記第１調整ユニットは、ウェブにおける一方面側の前記中央領域及び前記外側領域に等間隔で設けられ、前記第２調整ユニットは、ウェブにおける他方面側の前記外側領域に設けられることを特徴とする請求項１から９のいずれか一つに記載の幅見当調整装置。
【請求項１１】
前記押圧部材は、ウェブの幅方向に沿う中心軸をもつ曲面を有する中空形状をなす押圧部材本体と、前記曲面に形成されて前記押圧部材本体内の流体をウェブに向けて噴出する噴出孔とを有することを特徴とする請求項１から１０のいずれか一つに記載の幅見当調整装置。
【請求項１２】
前記調整手段は、前記各調整ユニットを制御可能な制御手段を有し、該制御手段は、予め設定されたウェブデータ及びまたは印刷データに基づいて前記各調整ユニットを制御することを特徴とする請求項１から１１のいずれか一つに記載の幅見当調整装置。
【請求項１３】
前記調整手段は、前記各調整ユニットを制御可能な制御手段と、ウェブと印刷画像とのずれを検出するずれ検出手段とを設け、前記制御手段は、前記ずれ検出手段の検出結果に基づいて前記各調整ユニットを制御することを特徴とする請求項１から１１のいずれか一つに記載の幅見当調整装置。
【請求項１４】
巻取紙からウェブを供給する給紙装置と、
前記給紙装置から繰り出されたウェブに印刷を行う複数の印刷ユニットからなる印刷装置と、
前記印刷装置により印刷が施されたウェブを断裁すると共に重ねて折り畳むことで折帖を形成する折機と、
前記複数の印刷ユニットの間にウェブの幅方向に沿って設けられる複数の押圧部材を走行するウェブにおける少なくとも一方面から押圧して波状にすることでウェブの幅方向における見当を調整する幅見当調整装置と、を備え、
前記幅見当調整装置は、
ウェブの幅方向における中央領域に配置される複数の前記押圧部材からなる第１調整ユニットと、
該第１調整ユニットよりウェブの幅方向における外側領域に配置される一つ以上の前記押圧部材からなる第２調整ユニットと、
前記第１調整ユニットと前記第２調整ユニットによりウェブの幅方向における中央領域の押圧量とウェブの幅方向における外側領域の押圧量とを異なる値に調整可能な調整手段と、
を有することを特徴とする印刷機。
【請求項１５】
前記印刷機は、刷版が装着された版胴と、該版胴に対接して該版胴のインキをウェブに転写するブランケット胴とを有し、前記版胴は、外周面に軸方向に沿って前記刷版が複数装着可能であると共に、フレームに対して軸方向に移動することでウェブに対する前記刷版の位置を調整可能な一体版胴であることを特徴とする請求項１４に記載の印刷機。
【発明の詳細な説明】
【技術分野】
【０００１】
本発明は、複数の印刷ユニットの間を走行するウェブを波状にすることで、このウェブの幅方向における見当を調整する幅見当調整装置、並びに、この幅見当調整装置を備える印刷機に関するものである。
【背景技術】
【０００２】
例えば、一般的な新聞用オフセット輪転印刷機は、複数の給紙ユニットを有する給紙装置と、複数の印刷ユニットを有する印刷装置と、ウェブパス装置と、複数の折ユニットを有する折機と、排紙装置とから構成されている。従って、給紙装置から各印刷ユニットにウェブが供給されると、各ウェブに対して各印刷ユニットにより印刷が施され、ウェブパス装置で多数のウェブの走行ルートが変更されてから所定の順番に重ね合わされた後、折機にて、ウェブが縦折りされてから所定の長さで横裁断され、横折されることで折帖が形成され、印刷物（新聞）として排紙される。
【０００３】
このような新聞用オフセット輪転印刷機にて、印刷装置は４色印刷が可能となるように、複数の印刷ユニットが縦に配置されるタワー型となっている。このタワー型の印刷装置は、ウェブが上方に搬送されながら、４つの印刷ユニットで連続して印刷が行われるため、ファンアウトと呼ばれる現象が発生する。即ち、ウェブが上方に搬送されるとき、このウェブは、印圧（印刷圧力）を受けながら、インキや湿し水が供給されるため、幅方向に伸びてしまう。この場合、ウェブは、４色印刷が行われるために扇状に変形し、ウェブと刷版（版胴）との間で幅方向にずれ、また、４色刷りの印刷過程で４色の色もずれてしまい、カラー写真が鮮明に印刷できないという問題がある。
【０００４】
このような問題を解決するものとして、例えば、下記特許文献１に記載されたものがある。この特許文献１に記載されたウェブ料紙の調幅方法及び調幅装置は、２つの印刷部間を走行するウェブ料紙を幅方向の離隔した複数部位において一方面側から押圧し、この２つの印刷部の下流側印刷部の入口におけるウェブ料紙の幅を、上流側印刷部の入口におけるウェブ料紙の幅と略同一になるように、ウェブ料紙に走行方向と略平行な波打ちを形成するものである。
【先行技術文献】
【特許文献】
【０００５】
【特許文献１】特開平０６−１３４９５９号公報
【発明の概要】
【発明が解決しようとする課題】
【０００６】
上述した従来のウェブ料紙の調幅方法及び調幅装置では、ウェブ料紙に対して走行方向に沿ったテンションを付与した状態で、ウェブ料紙を複数部位において一方面側から押圧し、このウェブ料紙に波打ちを形成することで、ウェブ料紙の幅を調整している。ところが、ウェブは、幅方向における外側、つまり、ウェブ料紙の側部は、テンションによる拘束が不十分となり、一方面側から押圧しても、中央部に比べて十分な波打ちを形成することが困難となる。そのため、ウェブのファンアウトを適正に修正することができず、印刷品質が低下してしまう。
【０００７】
本発明は上述した課題を解決するものであり、ウェブのファンアウトを適正に修正することで印刷品質を向上させることが可能な幅見当調整装置及び印刷機を提供することを目的とする。
【課題を解決するための手段】
【０００８】
上記の目的を達成するための本発明の幅見当調整装置は、ウェブの幅方向に沿って設けられる複数の押圧部材を、走行するウェブにおける少なくとも一方面から押圧して波状にすることで、ウェブの幅方向における見当を調整する幅見当調整装置において、ウェブの幅方向における中央領域に配置される複数の前記押圧部材からなる第１調整ユニットと、該第１調整ユニットよりウェブの幅方向における外側領域に配置される一つ以上の前記押圧部材からなる第２調整ユニットと、前記第１調整ユニットと前記第２調整ユニットによりウェブの幅方向における中央領域の押圧量とウェブの幅方向における外側領域の押圧量とを異なる値に調整可能な調整手段と、を備えることを特徴とするものである。
【０００９】
本発明の幅見当調整装置では、前記調整手段は、ウェブの幅方向における中央領域の押圧量よりウェブの幅方向における外側領域の押圧量を大きく調整することを特徴としている。
【００１０】
本発明の幅見当調整装置では、前記調整手段は、前記第１調整ユニットと前記第２調整ユニットとをそれぞれ独立して駆動可能な第１駆動装置と第２駆動装置を有することを特徴としている。
【００１１】
本発明の幅見当調整装置では、前記調整手段は、前記第１調整ユニットと前記第２調整ユニットとを一体に駆動可能な第１駆動装置と、前記第２調整ユニットのみを駆動可能な第２駆動装置とを有することを特徴としている。
【００１２】
本発明の幅見当調整装置では、前記押圧部材は、円板形状をなす押圧ローラであって、前記第１調整ユニットにおける前記押圧ローラの外径より、前記第２調整ユニットにおける前記押圧ローラの外径が大きく設定されることを特徴としている。
【００１３】
本発明の幅見当調整装置では、前記押圧部材は、円板形状をなす押圧ローラであって、前記第１調整ユニットにおける単位長さ当たりの前記押圧ローラの個数より、前記第２調整ユニットにおける単位長さ当たりの前記押圧ローラの個数が多く設定されることを特徴としている。
【００１４】
本発明の幅見当調整装置では、前記押圧部材は、円板形状をなす押圧ローラであって、前記第２調整ユニットにおける前記押圧ローラは、偏心軸にローラ本体が回転自在に支持され、前記偏心軸の位相を変更することで、押圧量を変更可能であることを特徴としている。
【００１５】
本発明の幅見当調整装置では、ウェブの幅方向における最外側に配置される一つの前記押圧部材からなる第３調整ユニットを設け、前記調整手段は、前記第１調整ユニットと前記第２調整ユニットと前記第３調整ユニットとにより、ウェブの幅方向における中央領域の押圧量とウェブの幅方向における外側領域の押圧量とウェブの幅方向における最外側の押圧量とを異なる値に調整可能であることを特徴としている。
【００１６】
本発明の幅見当調整装置では、前記複数の押圧部材は、印刷胴よりもウェブの走行方向における上流側に設けられ、前記第２調整ユニットにおける前記押圧部材は、前記第１調整ユニットにおける前記押圧部材より、前記印刷胴に接近して設けられることを特徴としている。
【００１７】
本発明の幅見当調整装置では、前記第１調整ユニットは、ウェブにおける一方面側の前記中央領域及び前記外側領域に等間隔で設けられ、前記第２調整ユニットは、ウェブにおける他方面側の前記外側領域に設けられることを特徴としている。
【００１８】
本発明の幅見当調整装置では、前記押圧部材は、ウェブの幅方向に沿う中心軸をもつ曲面を有する中空形状をなす押圧部材本体と、前記曲面に形成されて前記押圧部材本体内の流体をウェブに向けて噴出する噴出孔とを有することを特徴としている。
【００１９】
本発明の幅見当調整装置では、前記調整手段は、前記各調整ユニットを制御可能な制御手段を有し、該制御手段は、予め設定されたウェブデータ及びまたは印刷データに基づいて前記各調整ユニットを制御することを特徴としている。
【００２０】
本発明の幅見当調整装置では、前記調整手段は、前記各調整ユニットを制御可能な制御手段と、ウェブと印刷画像とのずれを検出するずれ検出手段とを設け、前記制御手段は、前記ずれ検出手段の検出結果に基づいて前記各調整ユニットを制御することを特徴としている。
【００２１】
また、本発明の印刷機は、巻取紙からウェブを供給する給紙装置と、前記給紙装置から繰り出されたウェブに印刷を行う複数の印刷ユニットからなる印刷装置と、前記印刷装置により印刷が施されたウェブを断裁すると共に重ねて折り畳むことで折帖を形成する折機と、前記複数の印刷ユニットの間にウェブの幅方向に沿って設けられる複数の押圧部材を走行するウェブにおける少なくとも一方面から押圧して波状にすることでウェブの幅方向における見当を調整する幅見当調整装置と、を備え、前記幅見当調整装置は、ウェブの幅方向における中央領域に配置される複数の前記押圧部材からなる第１調整ユニットと、該第１調整ユニットよりウェブの幅方向における外側領域に配置される一つ以上の前記押圧部材からなる第２調整ユニットと、前記第１調整ユニットと前記第２調整ユニットによりウェブの幅方向における中央領域の押圧量とウェブの幅方向における外側領域の押圧量とを異なる値に調整可能な調整手段と、を有することを特徴とするものである。
【００２２】
本発明の印刷機では、前記印刷機は、刷版が装着された版胴と、該版胴に対接して該版胴のインキをウェブに転写するブランケット胴とを有し、前記版胴は、外周面に軸方向に沿って前記刷版が複数装着可能であると共に、フレームに対して軸方向に移動することでウェブに対する前記刷版の位置を調整可能な一体版胴であることを特徴としている。
【発明の効果】
【００２３】
本発明の幅見当調整装置によれば、ウェブの幅方向における中央領域に配置される複数の押圧部材からなる第１調整ユニットと、第１調整ユニットよりウェブの幅方向における外側領域に配置される一つ以上の押圧部材からなる第２調整ユニットとを設け、調整手段は、第１調整ユニットと第２調整ユニットによりウェブの幅方向における中央領域の押圧量とウェブの幅方向における外側領域の押圧量とを異なる値に調整可能としている。従って、ウェブに対して、第１調整ユニットと第２調整ユニットにより中央領域の押圧量と外側領域の押圧量が異なる値に調整されるため、テンションが相違するウェブの幅方向における各位置でほぼ均一な見当調整量に適正に調整され、ウェブのファンアウトを適正に修正することができ、その結果、印刷品質を向上させることが可能となる。
【００２４】
本発明の幅見当調整装置によれば、調整手段は、ウェブの幅方向における中央領域の押圧量よりウェブの幅方向における外側領域の押圧量を大きく調整するので、テンションが低いウェブの外側領域で、中央領域より大きく押圧量が設定されることで、ウェブの全域にわたってファンアウトを適正に修正することができる。
【００２５】
本発明の幅見当調整装置によれば、調整手段として、第１調整ユニットと第２調整ユニットとをそれぞれ独立して駆動可能な第１駆動装置と第２駆動装置を設けるので、各駆動装置が各調整ユニットを独立して駆動することで、ウェブの幅方向における中央領域と外側領域における見当調整を別々に行い、全領域にわたってファンアウトを適正に修正することができ、ファンアウトの修正作業を短時間で容易に行うことができる。
【００２６】
本発明の幅見当調整装置によれば、調整手段として、第１調整ユニットと第２調整ユニットとを一体に駆動可能な第１駆動装置と、第２調整ユニットのみを駆動可能な第２駆動装置とを設けるので、第１駆動装置が第１調整ユニット及び第２調整ユニットを一体に駆動することで、ウェブの幅方向における全領域にて押圧量を均一に調整し、第２駆動装置が第２調整ユニットのみを駆動することで、ウェブの幅方向における外側領域にて押圧量を個別に調整することとなり、ウェブのファンアウトを適正に修正することができると共に、ファンアウトの修正作業を短時間で容易に行うことができる。
【００２７】
本発明の幅見当調整装置によれば、押圧部材を円板形状の押圧ローラとし、第１調整ユニットにおける押圧ローラの外径より、第２調整ユニットにおける押圧ローラの外径を大きく設定するので、中央領域に比べてウェブのテンションが低い外側領域では、外径の大きい押圧ローラにより見当が調整されることとなり、ファンアウトを適正に修正することができる。
【００２８】
本発明の幅見当調整装置によれば、押圧部材を円板形状の押圧ローラとし、第１調整ユニットにおける単位長さ当たりの押圧ローラの個数より、第２調整ユニットにおける単位長さ当たりの押圧ローラの個数を多く設定するので、中央領域に比べてウェブのテンションが低い外側領域では、単位長さ当たりの個数が多い複数の押圧ローラにより見当が調整されることとなり、ファンアウトを適正に修正することができる。
【００２９】
本発明の幅見当調整装置によれば、押圧部材を円板形状の押圧ローラとし、第２調整ユニットにおける押圧ローラを、偏心軸にローラ本体を回転自在に支持し、偏心軸の位相を変更して押圧量を変更可能とするので、中央領域に比べてウェブのテンションが低い外側領域では、偏心量の大きい押圧ローラにより見当が調整されることとなり、ファンアウトを適正に修正することができる。
【００３０】
本発明の幅見当調整装置によれば、ウェブの幅方向における最外側に配置される一つの前記押圧部材からなる第３調整ユニットを設け、調整手段は、第１調整ユニットと第２調整ユニットと第３調整ユニットとにより、ウェブの幅方向における中央領域の押圧量とウェブの幅方向における外側領域の押圧量とウェブの幅方向における最外側の押圧量とを異なる値に調整可能とするので、ウェブの幅方向における最外側の押圧量を個別に調整することができ、ウェブのファンアウトを適正に修正することができる。
【００３１】
本発明の幅見当調整装置によれば、複数の押圧部材を印刷胴よりもウェブの走行方向における上流側に設け、第２調整ユニットにおける押圧部材を第１調整ユニットにおける押圧部材より印刷胴に接近して設けるので、中央領域に比べてウェブのテンションが低い外側領域では、印刷胴に接近した押圧ローラにより見当が調整されることとなり、ファンアウトを適正に修正することができる。
【００３２】
本発明の幅見当調整装置によれば、第１調整ユニットをウェブにおける一方面側の中央領域及び外側領域に等間隔で設け、第２調整ユニットをウェブにおける他方面側の外側領域に設けるので、第２調整ユニットを第１調整ユニットの邪魔にならずに配置することで、構造の簡素化を可能とすることができる。
【００３３】
本発明の幅見当調整装置によれば、押圧部材を、ウェブの幅方向に沿う中心軸をもつ曲面を有する中空形状をなす押圧部材本体と、曲面に形成されて押圧部材本体内の流体をウェブに向けて噴出する噴出孔とで構成するので、ウェブに損傷を与えることなく、適正に波形形状にしてファンアウトを修正することができる。
【００３４】
本発明の幅見当調整装置によれば、調整手段として、各調整ユニットを制御可能な制御手段を設け、制御手段は、予め設定されたウェブデータ及びまたは印刷データに基づいて各調整ユニットを制御するので、ファンアウトの修正作業を簡素化することができる。
【００３５】
本発明の幅見当調整装置によれば、調整手段として、各調整ユニットを制御可能な制御手段と、ウェブと印刷画像とのずれを検出するずれ検出手段とを設け、制御手段は、ずれ検出手段の検出結果に基づいて各調整ユニットを制御するので、リアルタイムで各調整ユニットによる押圧量を調整することで、ウェブと印刷画像とのずれを早期に修正することができる。
【００３６】
また、本発明の印刷機によれば、給紙装置と印刷装置と折機と幅見当調整装置を設け、幅見当調整装置として、ウェブの幅方向における中央領域に配置される複数の押圧部材からなる第１調整ユニットと、第１調整ユニットよりウェブの幅方向における外側領域に配置される一つ以上の押圧部材からなる第２調整ユニットと、第１調整ユニットと第２調整ユニットによりウェブの幅方向における中央領域の押圧量とウェブの幅方向における外側領域の押圧量とを異なる値に調整可能な調整手段とを設けている。従って、ウェブに対して、第１調整ユニットと第２調整ユニットにより中央領域の押圧量と外側領域の押圧量が異なる値に調整されるため、テンションが相違するウェブの幅方向における各位置でほぼ均一な見当調整量に適正に調整され、ウェブのファンアウトを適正に修正することができ、その結果、印刷品質を向上させることが可能となる。
【００３７】
本発明の印刷機によれば、印刷機として、刷版が装着された版胴と、版胴に対接して該版胴のインキをウェブに転写するブランケット胴とを設け、版胴の外周面に軸方向に沿って刷版を複数装着可能であると共に、フレームに対して軸方向に移動することでウェブに対する刷版の位置を調整可能な一体版胴とするので、第１調整ユニットと第２調整ユニットとを設け、ウェブにおける外側領域の押圧量を独立して調整することで、一体版胴では修正できなかった幅方向の見当適正を容易に行うことができる。
【図面の簡単な説明】
【００３８】
【図１】図１は、本発明の実施例１に係る幅見当調整装置を表す概略構成図である。
【図２】図２は、実施例１の幅見当調整装置を表す印刷ユニットの要部概略図である。
【図３】図３は、実施例１の新聞用オフセット輪転印刷機を表す概略構成図である。
【図４】図４は、実施例１の印刷装置を表す概略図である。
【図５】図５は、実施例１の幅見当調整装置によるウェブの押圧状態を表す概略図である。
【図６】図６は、実施例１の幅見当調整装置によるファンアウト修正量を表すグラフである。
【図７】図７は、本発明の実施例２に係る幅見当調整装置を表す概略構成図である。
【図８】図８は、本発明の実施例３に係る幅見当調整装置を表す概略構成図である。
【図９】図９は、本発明の実施例４に係る幅見当調整装置を表す概略構成図である。
【図１０】図１０は、本発明の実施例５に係る幅見当調整装置を表す概略構成図である。
【図１１】図１１は、本発明の実施例６に係る幅見当調整装置を表す概略構成図である。
【図１２−１】図１２−１は、実施例６の幅見当調整装置における第２調整ユニットの押圧ローラを表す概略構成図である。
【図１２−２】図１２−２は、実施例６の幅見当調整装置における第２調整ユニットの押圧ローラの作用を表す概略構成図である。
【図１３】図１３は、本発明の実施例７に係る幅見当調整装置を表す概略構成図である。
【図１４】図１４は、本発明の実施例８に係る幅見当調整装置を表す概略構成図である。
【図１５】図１５は、本発明の実施例９に係る幅見当調整装置における押圧部材を表す概略図である。
【図１６】図１６は、本発明の実施例１０に係る幅見当調整装置を表す概略構成図である。
【発明を実施するための形態】
【００３９】
以下に添付図面を参照して、本発明に係る幅見当調整装置及び印刷機の好適な実施例を詳細に説明する。なお、この実施例により本発明が限定されるものではない。
【実施例１】
【００４０】
図１は、本発明の実施例１に係る幅見当調整装置を表す概略構成図、図２は、実施例１の幅見当調整装置を表す印刷ユニットの要部概略図、図３は、実施例１の新聞用オフセット輪転印刷機を表す概略構成図、図４は、実施例１の印刷装置を表す概略図、図５は、実施例１の幅見当調整装置によるウェブの押圧状態を表す概略図、図６は、実施例１の幅見当調整装置によるファンアウト修正量を表すグラフである。
【００４１】
実施例１の印刷機は、図３に示すように、新聞用オフセット輪転印刷機であって、複数（本実施例では、８台）の給紙ユニットＲ１〜Ｒ８を有する給紙装置Ｒと、複数（本実施例では、６台）の印刷ユニットＵ１〜Ｕ６を有する印刷装置Ｕと、複数（本実施例では、２台）のウェブパスユニットＤ１，Ｄ２を有するウェブパス装置Ｄと、複数（本実施例では、２個）の折ユニットＦ１，Ｆ２を有する折機Ｆとから構成されている。
【００４２】
この場合、印刷ユニットＵ１〜Ｕ６を６台として説明したが、各印刷ユニットＵ１〜Ｕ６は、４色刷りが可能であると共に、上下に分割して１２台の２色刷りが可能な印刷ユニットＵ１１，Ｕ１２，Ｕ２１・・・Ｕ６１，Ｕ６２として用いることができる。
【００４３】
また、図３にて、２つの折ユニットＦ１，Ｆ２を左右に並べて記載したが、実際には、紙面に直行する方向に並んで配置される操作側折ユニットＦ１と駆動側折ユニットＦ２となっている。更に、印刷装置Ｕを２つの部分から記載したが、機能上２つに分けて記載しただけであり、実際には、１つの装置となっている。
【００４４】
そして、本実施例の新聞用オフセット輪転印刷機では、図示しない建屋の１階に給紙ユニットＲ１〜Ｒ８が設置され、２階及び３階に印刷ユニットＵ１〜Ｕ６が設置され、３階から５階にウェブパス装置Ｄが設置され、また、２階、３階に折機Ｆが設置されている。
【００４５】
ここで、上述した給紙装置Ｒ、印刷装置Ｕ、ウェブパス装置Ｄ、折機Ｆについて詳細に説明する。
【００４６】
給紙装置Ｒにおいて、給紙ユニットＲ１〜Ｒ８は、ほぼ同様の構成をなし、ウェブＷがロール状に巻かれた３つの巻取紙を保持する保持アーム１１が設けられ、この保持アーム１１を回動することで、巻取紙を給紙位置に回動することができる。また、この各給紙ユニットＲ１〜Ｒ８には、図示しない紙継装置が設けられており、給紙位置で繰り出されている巻取紙が残り少なくなると、この紙継装置により給紙位置にある巻取紙に対して、待機位置にある巻取紙を紙継することができる。
【００４７】
印刷装置Ｕにおいて、印刷ユニットＵ１〜Ｕ６は、両面４色印刷を行うことができる多色刷印刷ユニットである。但し、各印刷ユニットＵ１〜Ｕ６は、上下に分割することで、両面２色印刷を行うことができる印刷ユニットＵ１１〜Ｕ６２とすることができる。また、各印刷ユニットＵ１〜Ｕ６は、版胴１２の周長（直径）及びブランケット胴１３の周長（直径）が同径に設定されている。即ち、版胴１２の周面には、周方向（ウェブＷの天地長さ方向）に沿って１つの刷版（図示略）が、軸方向（ウェブＷの幅方向）に沿って４つの刷版が着脱自在である。
【００４８】
なお、本実施例では、印刷ユニットＵ１〜Ｕ６を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。
【００４９】
ウェブパス装置Ｄにおいて、ウェブパスユニットＤ１は、印刷ユニットＵ１〜Ｕ３に対して設けられ、ウェブパスユニットＤ２は、印刷ユニットＵ４〜Ｕ６に対して設けられている。各ウェブパスユニットＤ１，Ｄ２は、ほぼ同様の構成をなし、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。
【００５０】
従って、各印刷ユニットＵ１〜Ｕ３で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。また、印刷ユニットＵ４〜Ｕ６で印刷が施された各ウェブＷは、ウェブパスユニットＤ２にて、スリッタにより縦裁断され、ターンバーにより搬送経路が変更され、コンペンセータにより搬送位置が調整されてから所定の順番に重ね合わされる。
【００５１】
折機Ｆにて、２つの折ユニットＦ１，Ｆ２は、操作側と駆動側に配設されている。従って、ウェブパスユニットＤ１から複数のウェブＷ１が重ねられて導入されると、折ユニットＦ１は、ウェブＷを縦折りし、所定の長さで横裁断し、横折りして折帖を形成し、新聞として排紙することができる。また、ウェブパスユニットＤ２から複数のウェブＷ２が重ねられて導入されると、折ユニットＦ２は、ウェブＷを縦折りし、所定の長さで横裁断し、横折りして折帖を形成し、新聞として排紙することができる。この場合、折機Ｆでは、折ユニットＦ１，Ｆ２が各ウェブパスユニットＤ１，Ｄ２からのウェブＷ１，Ｗ２を処理するだけでなく、各折ユニットＦ１，Ｆ２の一方がまとめて処理することもできる。
【００５２】
また、本実施例の新聞用オフセット輪転印刷機における印刷装置Ｕにて、各印刷ユニットＵ１〜Ｕ６は４色印刷が可能となるように、図４に示すように、Ｈ型のタワーユニットとなっている。この印刷ユニットＵ１〜Ｕ６は、墨（Black）、藍（Cyan）、紅（Magenta）、黄（Yellow）ごとの４つのスタックａ，ｂ，ｃ，ｄが上下に配置されて構成されており、各スタックａ，ｂ，ｃ，ｄは、それぞれ左右に対向して版胴１２ａ，１２ｂ，１２ｃ，１２ｄが対接し、各版胴１２ａ，１２ｂ，１２ｃ，１２ｄにブランケット胴１３ａ，１３ｂ，１３ｃ，１３ｄが対接し、各版胴１２ａ，１２ｂ，１２ｃ，１２ｄに図示しないインキ装置が設けられている。
【００５３】
この場合、スタックａ，ｃは、版胴１２ａ，１２ｃ及びブランケット胴１３ａ，１３ｃがハの字形状に配列され、スタックｂ，ｄは、版胴１２ｂ，１２ｄ及びブランケット胴１３ｂ，１３ｄが逆ハの字形状に配列されている。
【００５４】
そして、各スタックａ，ｂ，ｃ，ｄにて、各版胴１２ａ，１２ｂ，１２ｃ，１２ｄとブランケット胴１３ａ，１３ｂ，１３ｃ，１３ｄは、図示しないギアによりそれぞれ駆動連結されており、一つの駆動モータ１４ａ，１４ｂ，１４ｃ，１４ｄにより連動して駆動回転可能となっている。即ち、例えば、駆動モータ１４ａにより各版胴１２ａと各ブランケット胴１３ａが連動して駆動回転可能であり、他のスタックｂ，ｃ，ｄも同様の構成となっている。
【００５５】
また、各版胴１２ａ，１２ｂ，１２ｃ，１２ｄにて、外周面には異なる絵柄を印刷する刷版が軸方向、つまり、ウェブＷの幅方向に２つ（または、４つ）並べて装着されており、この状態で印刷を行う。そして、この版胴１２ａ，１２ｂ，１２ｃ，１２ｄは、図示しないが、左右のフレームに回転自在に支持されると共に、見当装置により軸方向に移動可能に支持されている。そのため、この見当装置により版胴１２ａ，１２ｂ，１２ｃ，１２ｄを軸方向に移動することで、ウェブＷに対する刷版の位置、つまり、ウェブＷと印刷画像との見当ずれを調整することができる。
【００５６】
実施例１の新聞用オフセット輪転印刷機における印刷装置Ｕでは、各スタックａ，ｂ，ｃ，ｄの間に、幅見当調整装置２１，２２，２３が設けられている。この幅見当調整装置２１，２２，２３は、ウェブデータや印刷データに基づいてウェブＷの幅方向における見当を調整するものである。ここで、ウェブデータとは、ウェブＷの幅（ウェブサイズ）、ウェブＷの走行速度、ウェブＷのテンション（張力）などであり、印刷データとは、画線率などである。この場合、ウェブＷの走行速度やテンションは、オンラインでセンサを用いて計測すればよい。
【００５７】
以下に、この幅見当調整装置２１，２２，２３を説明するが、各幅見当調整装置２１，２２，２３は、ほぼ同様の構成をなしていることから、幅見当調整装置２１についてのみ説明する。
【００５８】
幅見当調整装置２１において、図１及び図２に示すように、走行するウェブＷの一方面側には、このウェブＷの幅方向に沿って水平をなす支持軸３０がウェブＷと平行をなして配設されており、この支持軸３０には、複数の押圧部材としての８つの押圧ローラ３１〜３８が均等間隔で設けられている。
【００５９】
そして、ウェブＷの幅方向における中央領域に配置される４つの押圧ローラ３３〜３６は、支持軸３０に対して回転自在に支持されている。この場合、支持軸３０と４つの押圧ローラ３３〜３６により第１調整ユニット３９が構成される。一方、ウェブＷの幅方向における中央領域よりウェブＷの幅方向における外側領域には、支持軸３０の軸方向における各端部にケース４０ａ，４０ｂの一端面が固定され、このケース４０ａ，４０ｂ内に、移動部材４１ａ，４１ｂがウェブＷに直交する方向に移動自在に支持され、この移動部材４１ａ，４１ｂに支持軸４２ａ，４２ｂを介して押圧ローラ３１，３２，３７，３８がそれぞれ回転自在に支持されている。そして、各移動部材４１ａ，４１ｂは、アクチュエータ４３ａ，４３ｂにより往復移動可能となっている。この場合、ケース４０ａ，４０ｂと移動部材４１ａ，４１ｂと支持軸４２ａ，４２ｂと押圧ローラ３１，３２，３７，３８により、第１調整ユニット３９よりウェブＷの幅方向における外側領域に配置される第２調整ユニット４４ａ，４４ｂが構成される。
【００６０】
各ケース４０ａ，４０ｂの他端面には、取付レバー４５ａ，４５ｂの一端部が固定され、この取付レバー４５ａ，４５ｂの他端部には、移動ブロック４６ａ，４６ｂの取付部４７ａ，４７ｂが連結軸４８ａ，４８ｂにより水平旋回自在に連結されている。走行するウェブＷにおける幅方向の側方には、このウェブＷと水平に直行する方向に沿ってねじ軸４９ａ，４９ｂが配置され、このねじ軸４９ａ，４９ｂは、駆動モータ５０ａ，５０ｂにより回転可能となっている。そして、このねじ軸４９ａ，４９ｂは、各移動ブロック４６ａ，４６ｂに螺合している。
【００６１】
従って、駆動モータ５０ａ，５０ｂによりねじ軸４９ａ，４９ｂを正回転方向に回転すると、移動ブロック４６ａ，４６ｂが前進（図１にて、上方に移動）し、各ケース４０ａ，４０ｂ及び支持軸３０等を介して８つの押圧ローラ３１〜３８をウェブＷに接近する方向に移動することができる。一方、駆動モータ５０ａ，５０ｂによりねじ軸４９ａ，４９ｂを逆回転方向に回転すると、移動ブロック４６ａ，４６ｂが後退（図１にて、下方に移動）し、各ケース４０ａ，４０ｂ及び支持軸３０等を介して８つの押圧ローラ３１〜３８をウェブＷから離間する方向に移動することができる。
【００６２】
また、アクチュエータ４３ａ，４３ｂにより各移動部材４１ａ，４１ｂ等を介して、４つの押圧ローラ３１，３２，３７，３８をウェブＷに接近する方向に移動することができると共に、ウェブＷから離間する方向に移動することができる。
【００６３】
ここで、８つの押圧ローラ３１〜３８をウェブＷに接近する方向に移動し、走行するウェブＷにおける一方面から押圧する。すると、このウェブＷは、各押圧ローラ３１〜３８により押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【００６４】
この場合、ウェブＷの幅方向における一方側と他方側でファンアウト量が相違する場合には、駆動モータ５０ａ，５０ｂによる移動ブロック４６ａ，４６ｂの移動量、または、アクチュエータ４３ａ，４３ｂの駆動量を相違させ、ウェブＷに対して支持軸３０が傾斜するように押圧ローラ３１〜３８をウェブＷに接近させることで、このようなファンアウトに対して対応することが可能となる。
【００６５】
なお、本実施例では、ねじ軸４９ａ，４９ｂと駆動モータ５０ａ，５０ｂ等により、第１調整ユニット３９と第２調整ユニット４４ａ，４４ｂとを一体に駆動可能な第１駆動装置が構成される。また、アクチュエータ４３ａ，４３ｂ等により、第２調整ユニット４４ａ，４４ｂのみを駆動可能な第２駆動装置が構成される。また、各駆動装置により本発明の調整手段が構成される。
【００６６】
ところで、ウェブＷは、印刷ユニットを通過するとき、所定のテンションが作用しているものの、ウェブＷのテンションは、幅方向における中央部で高く、その外側、つまり、ウェブＷの側部で低いものとなっている。そのため、ファンアウトが発生しているウェブＷに対して、押圧ローラ３１〜３８を同量だけ前進してこのウェブＷを波形状にしても、中央部に比べて側部では十分な波を形成することが困難となり、ウェブＷのファンアウトを適正に修正することができない。
【００６７】
そこで、本実施例の幅見当調整装置２１では、第１調整ユニット３９と第２調整ユニット４４ａ，４４ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【００６８】
即ち、制御装置５１は、第１駆動装置としての駆動モータ５０ａ，５０ｂを駆動制御可能であると共に、第２駆動装置としてのアクチュエータ４３ａ，４３ｂを駆動制御可能である。この制御装置５１には、操作パネル５２が接続されており、オペレータは、この操作パネル５２を用いて指令値を入力すると、制御装置５１は、入力された指令値に基づいて駆動モータ５０ａ，５０ｂ及びアクチュエータ４３ａ，４３ｂを駆動制御する。
【００６９】
従って、まず、制御装置５１は、駆動モータ５０ａ，５０ｂによりねじ軸４９ａ，４９ｂを正回転方向に回転して移動ブロック４６ａ，４６ｂを前進させ、支持軸３０を介して全ての押圧ローラ３１〜３８をウェブＷに接近する方向に移動することで、各押圧ローラ３１〜３８によりウェブＷを押圧して波形状とする。すると、ウェブＷは、幅方向の全領域が波形状となることで幅方向の長さが短くなるものの、幅方向の外側領域ではテンションが低いため、ここの領域だけ小さな波形状となってしまう。
【００７０】
そのため、次に、制御装置５１は、アクチュエータ４３ａ，４３ｂにより４つの押圧ローラ３１，３２，３７，３８のみをウェブＷに接近する方向に移動することで、各押圧ローラ３１，３２，３７，３８によりウェブＷの外側領域だけを押圧して波形状とする。すると、ウェブＷは、図５に示すように、幅方向の外側領域ではテンションが低いものの、各押圧ローラ３１，３２，３７，３８の押圧量（突出量）が、中央領域の押圧ローラ３３〜３６の押圧量（突出量）より長さＬ１だけ大きくなることから、幅方向にほぼ均一な波形状となり、幅方向の長さが適正長さまでに短くなる。その結果、ウェブＷは、幅方向の長さが印刷前の長さに補正され、ファンアウトを適正に修正することができる。
【００７１】
なお、この説明では、第１調整ユニット３９と第２調整ユニット４４ａ，４４ｂを別々に作動するように説明したが、実際には、同時に作動する。また、制御装置５１は、入力された指令値、ウェブデータ及び印刷データなどに基づいて、各調整ユニット３９，４４ａ，４４ｂによる各押圧ローラ３１〜３８の前進量を算出しておき、印刷が開始されたら、幅見当調整装置２１を自動的に作動（プリセット制御）させている。
【００７２】
また、各印刷ユニットＵ１〜Ｕ６にて、４つのスタックａ，ｂ，ｃ，ｄにおけるウェブＷの搬送方向の下流側には、ウェブＷと印刷画像とのずれを検出するずれ検出手段として複数のカメラ５３が設けられており、各カメラ５３が撮影した画像が制御装置５１に送信され、制御装置５１は、カメラ５３が撮影した画像に基づいて第１調整ユニット３９及び第２調整ユニット４４ａ，４４ｂにより各押圧ローラ３１〜３８の押圧量を調整している。この場合、ウェブＷには、幅方向における所定の位置に複数の見当マークが印刷され、各カメラ５３は、この見当マークを撮影する。制御装置５１は、カメラ５３が撮影した見当マークが幅方向における所定の基準位置にあるかどうかを判定する。そして、見当マークが基準位置にないときには、見当マークが基準位置に位置するように第１調整ユニット３９及び第２調整ユニット４４ａ，４４ｂをフィードバック制御する。そのため、リアルタイムで各調整ユニット３３，４４ａ，４４ｂによる押圧量を調整することで、ウェブＷと印刷画像とのずれを早期に修正することができる。
【００７３】
図６は、ウェブＷのファンアウト量及びその修正量を表すグラフである。印刷済のウェブＷのファンアウト量が図６に実線で示すように発生したとき、従来のように、押圧ローラ３１〜３８の押圧量（突出量）を同一としたとき、図６に点線で示すように、幅方向の外側領域でウェブＷのテンションが低いため、この外側領域で十分にファンアウトを修正することができない。一方、本実施例のように、中央領域の押圧ローラ３３〜３６の押圧量（突出量）より、外側領域の押圧ローラ３１，３２，３７，３８の押圧量（突出量）を大きくしたとき、図６に一点鎖線で示すように、幅方向の外側領域でウェブＷのテンションが低いものの、全ての領域で十分にファンアウトを修正することができる。
【００７４】
このように実施例１の幅見当調整装置にあっては、ウェブＷの幅方向に沿って設けられる複数の押圧ローラ３１〜３８を、走行するウェブＷにおける一方面から押圧して波状にすることで、このウェブＷの幅方向における見当を調整可能に構成し、ウェブＷの幅方向における中央領域に配置される４つの押圧ローラ３３〜３６からなる第１調整ユニット３９と、この第１調整ユニット３９よりウェブＷの幅方向における外側領域に配置される４つの押圧ローラ３１，３２，３７，３８からなる第２調整ユニット４４ａ，４４ｂとを設け、第１調整ユニット３９と第２調整ユニット４４ａ，４４ｂによりウェブＷの幅方向における中央領域の押圧量とウェブＷの幅方向における外側領域の押圧量とを異なる値に調整可能（調整手段）としている。
【００７５】
従って、ウェブＷに対して、第１調整ユニット３９と第２調整ユニット４４ａ，４４ｂにより中央領域の押圧量と外側領域の押圧量が異なる値に調整されるため、テンションが相違するウェブＷの幅方向における各位置でほぼ均一な見当調整量に適正に調整され、ウェブＷのファンアウトを適正に修正することができ、その結果、印刷品質を向上させることが可能となる。
【００７６】
また、実施例１の幅見当調整装置では、ウェブＷの幅方向における中央領域の押圧量より、ウェブＷの幅方向における外側領域の押圧量を大きく調整している。従って、テンションが低いウェブＷの外側領域で、中央領域より大きく押圧量が設定されることで、ウェブＷの幅方向における全ての領域でほぼ均一な見当調整量となり、ウェブＷの全域にわたってファンアウトを適正に修正することができる。
【００７７】
また、実施例１の幅見当調整装置では、調整手段として、第１調整ユニット３９と第２調整ユニット４４ａ，４４ｂとを一体に駆動可能な駆動モータ（第１駆動装置）５０ａ，５０ｂと、第２調整ユニット４４ａ，４４ｂのみを駆動可能なアクチュエータ（第２駆動装置）４３ａ，４３ｂとを設けている。従って、駆動モータ５０ａ，５０ｂが第１調整ユニット３９及び第２調整ユニット４４ａ，４４ｂを一体に駆動することで、ウェブＷの幅方向における全領域にて押圧量を均一に調整し、アクチュエータ４３ａ，４３ｂが第２調整ユニット４４ａ，４４ｂのみを駆動することで、ウェブＷの幅方向における外側領域にて押圧量を個別に調整することとなり、ウェブＷのファンアウトを適正に修正することができると共に、ファンアウトの修正作業を短時間で容易に行うことができる。
【００７８】
そして、実施例１の新聞用オフセット輪転印刷機では、各版胴１２ａ，１２ｂ，１２ｃ，１２ｄを、その外周面に軸方向に沿って刷版を複数装着可能であると共に、フレームに対して軸方向に移動することでウェブＷに対する刷版の位置を調整可能な一体版胴としている。従って、第１調整ユニット３９と第２調整ユニット４４ａ，４４ｂにより、ウェブＷにおける外側領域の押圧量を独立して調整することで、一体版胴では修正できなかった幅方向の見当適正を容易に行うことができる。即ち、一体版胴では、版胴１２の周面に軸方向に沿って複数の刷版が装着されているが、この刷版同士の幅方向（版胴の軸方向）の位置調整を行うことができない。しかし、本実施例では、第１調整ユニット３９と第２調整ユニット４４ａ，４４ｂによりファンアウトを修正することで、刷版同士の幅方向の位置調整を行うことが可能となる。
【実施例２】
【００７９】
図７は、本発明の実施例２に係る幅見当調整装置を表す概略構成図である。なお、前述した実施例で説明したものと同様の機能を有する部材には同一の符号を付して重複する説明は省略する。
【００８０】
実施例２において、図７に示すように、幅見当調整装置６１は、走行するウェブＷの一方面側に設けられている。この幅見当調整装置６１において、ウェブＷの幅方向に沿って水平をなす支持軸３０がウェブＷと平行をなして配設されており、この支持軸３０には、ウェブＷの幅方向における全領域（中央領域及び外側領域）に均等間隔で配置される８つの押圧ローラ３１〜３８が回転自在に支持されている。この場合、支持軸３０と８つの押圧ローラ３１〜３８により第１調整ユニット６２が構成される。
【００８１】
また、ウェブＷの幅方向における中央領域よりウェブＷの幅方向における外側領域には、支持軸３０における押圧ローラ３１，３２の間、押圧ローラ３７，３８の間に、エアノズル６３ａ，６３ｂがそれぞれ装着されている。そして、各エアノズル６３ａ，６３ｂには、エア配管６４ａ，６４ｂ及び減圧弁６５ａ，６５ｂを介して図示しないエア供給源が連結されている。この場合、エアノズル６３ａ，６３ｂ、エア配管６４ａ，６４ｂ、エア供給源により、第２調整ユニット６６ａ，６６ｂが構成される。
【００８２】
支持軸３０の各端部には、取付レバー４５ａ，４５ｂの一端部が固定され、この取付レバー４５ａ，４５ｂの他端部には、移動ブロック４６ａ，４６ｂの取付部４７ａ，４７ｂが連結軸４８ａ，４８ｂにより水平旋回自在に連結されている。走行するウェブＷにおける幅方向の側方には、ねじ軸４９ａ，４９ｂが配置され、このねじ軸４９ａ，４９ｂは、駆動モータ５０ａ，５０ｂにより回転可能となっている。そして、このねじ軸４９ａ，４９ｂは、各移動ブロック４６ａ，４６ｂに螺合している。
【００８３】
従って、駆動モータ５０ａ，５０ｂによりねじ軸４９ａ，４９ｂを正回転方向に回転すると、移動ブロック４６ａ，４６ｂが前進し、支持軸３０を介して８つの押圧ローラ３１〜３８をウェブＷに接近する方向に移動することができる。また、エア供給源のエアをエア配管６４ａ，６４ｂを通してエアノズル６３ａ，６３ｂに送り、このエアノズル６３ａ，６３ｂによりエアをウェブＷに向けて噴射することができる。
【００８４】
ここで、８つの押圧ローラ３１〜３８をウェブＷに接近する方向に移動し、走行するウェブＷにおける一方面から押圧する。すると、このウェブＷは、各押圧ローラ３１〜３８により押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【００８５】
なお、本実施例では、ねじ軸４９ａ，４９ｂと駆動モータ５０ａ，５０ｂ等により、第１調整ユニット６２と第２調整ユニット６６ａ，６６ｂとを一体に駆動可能な第１駆動装置が構成される。また、エアノズル６３ａ，６３ｂと減圧弁６５ａ，６５ｂ等により、第２調整ユニット６６ａ，６６ｂのみを駆動可能な第２駆動装置が構成される。また、各駆動装置により本発明の調整手段が構成される。
【００８６】
そして、本実施例の幅見当調整装置６１では、第１調整ユニット６２と第２調整ユニット６６ａ，６６ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【００８７】
即ち、制御装置（図示略）は、第１駆動装置としての駆動モータ５０ａ，５０ｂを駆動制御可能であると共に、第２駆動装置としての減圧弁６５ａ，６５ｂを駆動制御可能である。従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ３１〜３８をウェブＷに接近する方向に移動することで、各押圧ローラ３１〜３８によりウェブＷを押圧して波形状とする。すると、ウェブＷは、幅方向の全領域が波形状となることで幅方向の長さが短くなるものの、幅方向の外側領域ではテンションが低いため、ここの領域だけ小さな波形状となってしまう。
【００８８】
そのため、制御装置は、減圧弁６５ａ，６５ｂにより各エアノズル６３ａ，６３ｂからウェブＷに向けてエアを噴射することで、各噴射エアによりウェブＷの外側領域だけを押圧して波形状とする。すると、ウェブＷは、幅方向の外側領域ではテンションが低いものの、各押圧ローラ３１，３２，３７，３８及びエアノズル６３ａ，６３ｂからの噴射エアによる押圧量（突出量）が、中央領域の押圧ローラ３３〜３６の押圧量（突出量）より大きくなることから、幅方向にほぼ均一な波形状となり、幅方向の長さが適正長さまでに短くなる。その結果、ウェブＷは、幅方向の長さが印刷前の長さに補正され、ファンアウトを適正に修正することができる。
【００８９】
このように実施例２の幅見当調整装置にあっては、ウェブＷの幅方向における全領域に配置される８つの押圧ローラ３１〜３８からなる第１調整ユニット６２と、ウェブＷの幅方向における外側領域に配置される２つのエアノズル６３ａ，６３ｂからなる第２調整ユニット６６ａ，６６ｂとを設け、第１調整ユニット６２と第２調整ユニット６６ａ，６６ｂによりウェブＷの幅方向における中央領域の押圧量とウェブＷの幅方向における外側領域の押圧量とを異なる値に調整可能（調整手段）としている。
【００９０】
従って、ウェブＷに対して、第１調整ユニット６２と第２調整ユニット６６ａ，６６ｂにより中央領域の押圧量と外側領域の押圧量が異なる値に調整されるため、テンションが相違するウェブＷの幅方向における各位置でほぼ均一な見当調整量に適正に調整され、ウェブＷのファンアウトを適正に修正することができ、その結果、印刷品質を向上させることが可能となる。
【００９１】
また、実施例２の幅見当調整装置では、ウェブＷの幅方向における中央領域の押圧量より、ウェブＷの幅方向における外側領域の押圧量を大きく調整している。従って、テンションが低いウェブＷの外側領域で、中央領域より大きく押圧量が設定されることで、ウェブＷの幅方向における全ての領域でほぼ均一な見当調整量となり、ウェブＷの全域にわたってファンアウトを適正に修正することができる。
【００９２】
また、実施例２の幅見当調整装置では、第２調整ユニット６６ａ，６６ｂとしてエアノズル６３ａ，６３ｂを設けている。従って、８つの押圧ローラ３１〜３８からなる第１調整ユニット６２を変更する必要はなく、２つのエアノズル６３ａ，６３ｂだけを追加すればよく、構造の複雑化や高コスト化を抑制することができる。
【実施例３】
【００９３】
図８は、本発明の実施例３に係る幅見当調整装置を表す概略構成図である。なお、前述した実施例で説明したものと同様の機能を有する部材には同一の符号を付して重複する説明は省略する。
【００９４】
実施例３において、図８に示すように、幅見当調整装置７１は、走行するウェブＷの一方面側に設けられている。この幅見当調整装置７１において、支持フレーム７２には、ウェブＷの幅方向に沿って４つの移動部材７３，７４，７５，７６が配設され、各移動部材７３，７４，７５，７６は、アクチュエータ７７，７８，７９，８０によりウェブＷに直交する方向に沿って移動自在に支持されている。そして、各移動部材７３，７４，７５，７６には、ウェブＷの幅方向に沿って水平をなす支持軸８１，８２，８３，８４がウェブＷと平行をなして装着され、この各支持軸８１，８２，８３，８４には、ウェブＷの幅方向における全領域（中央領域及び外側領域）に均等間隔で配置される８つの押圧ローラ３１〜３８がそれぞれ回転自在に支持されている。
【００９５】
この場合、支持軸８２，８３と４つの押圧ローラ３３〜３６により第１調整ユニット８５が構成される。また、支持軸８１，８４と４つの押圧ローラ３１，３２，３７，３８により第２調整ユニット８６ａ，８６ｂが構成される。
【００９６】
従って、各アクチュエータ７７，７８，７９，８０により移動部材７３，７４，７５，７６を前進すると、支持軸８１，８２，８３，８４を介して８つの押圧ローラ３１〜３８をウェブＷに接近する方向に移動することができる。ここで、８つの押圧ローラ３１〜３８を走行するウェブＷにおける一方面から押圧すると、このウェブＷは、各押圧ローラ３１〜３８により押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【００９７】
なお、本実施例では、アクチュエータ７８，７９等により、第１調整ユニット８５を独立して駆動可能な第１駆動装置が構成され、アクチュエータ７７，８０等により、第２調整ユニット８６ａ，８６ｂを独立して駆動可能な第２駆動装置が構成される。また、各駆動装置により本発明の調整手段が構成される。
【００９８】
そして、本実施例の幅見当調整装置７１では、第１調整ユニット８５と第２調整ユニット８６ａ，８６ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【００９９】
即ち、制御装置（図示略）は、第１駆動装置としてのアクチュエータ７８，７９を駆動制御可能であると共に、第２駆動装置としてのアクチュエータ７７，８０を駆動制御可能である。従って、制御装置は、アクチュエータ７７，７８，７９，８０により各押圧ローラ３１〜３８をウェブＷに接近する方向に移動することで、各押圧ローラ３１〜３８によりウェブＷを押圧して波形状とする。すると、ウェブＷは、幅方向の全領域が波形状となることで幅方向の長さが短くなるものの、幅方向の外側領域ではテンションが低いため、ここの領域だけ小さな波形状となってしまう。
【０１００】
そのため、制御装置は、アクチュエータ７７，８０により押圧ローラ３１，３２，３７，３８をウェブＷに接近する方向に移動することで、各押圧ローラ３１〜３８によりウェブＷの外側領域だけを押圧して波形状とする。すると、ウェブＷは、幅方向の外側領域ではテンションが低いものの、各押圧ローラ３１，３２，３７，３８による押圧量（突出量）が、中央領域の押圧ローラ３３〜３６の押圧量（突出量）より大きくなることから、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１０１】
このように実施例３の幅見当調整装置にあっては、ウェブＷの幅方向における中央領域に配置される４つの押圧ローラ３３〜３６からなる第１調整ユニット８５と、ウェブＷの幅方向における外側領域に配置される４つの押圧ローラ３１，３２，３７，３８からなる第２調整ユニット８６ａ，８６ｂとを設け、第１調整ユニット８５と第２調整ユニット８６ａ，８６ｂによりウェブＷの幅方向における中央領域の押圧量とウェブＷの幅方向における外側領域の押圧量とを異なる値、つまり、ウェブＷの幅方向における中央領域の押圧量より、ウェブＷの幅方向における外側領域の押圧量を大きくなるように調整している。
【０１０２】
従って、テンションが低いウェブＷの外側領域で、中央領域より押圧量が大きくなるように設定されることで、テンションが相違するウェブＷの幅方向における各位置で、ほぼ均一な見当調整量に適正に調整され、ウェブＷのファンアウトを適正に修正することができ、その結果、印刷品質を向上させることが可能となる。
【０１０３】
また、実施例３の幅見当調整装置では、第１調整ユニット８５と第２調整ユニット８６ａ，８６ｂとをそれぞれ独立して駆動可能なアクチュエータ７７，７８，７９，８０を設けている。従って、アクチュエータ７７，７８，７９，８０が各調整ユニット８５，８６ａ，８６ｂを独立して駆動することで、ウェブＷの幅方向における中央領域と外側領域における見当調整を別々に行い、全領域にわたってファンアウトを適正に修正することができ、ファンアウトの修正作業を短時間で容易に行うことができる。
【実施例４】
【０１０４】
図９は、本発明の実施例４に係る幅見当調整装置を表す概略構成図である。なお、前述した実施例で説明したものと同様の機能を有する部材には同一の符号を付して重複する説明は省略する。
【０１０５】
実施例４において、図９に示すように、幅見当調整装置９１は、走行するウェブＷの一方面側に設けられている。この幅見当調整装置９１において、ウェブＷの幅方向に沿って水平をなす支持軸３０がウェブＷと平行をなして配設されており、この支持軸３０には、ウェブＷの幅方向における全領域（中央領域及び外側領域）に均等間隔で配置される８つの押圧ローラ９２〜９９が回転自在に支持されている。
【０１０６】
この場合、ウェブＷの幅方向における中央領域に配置される４つの押圧ローラ９４〜９７の外径より、外側領域に配置される４つの押圧ローラ９２，９３，９８，９９の外径の方が大きいものに設定されている。そして、支持軸３０と４つの押圧ローラ９４〜９７により第１調整ユニット１００が構成され、支持軸３０と４つの押圧ローラ９２，９３，９８，９９により第２調整ユニット１０１ａ，１０１ｂが構成される。
【０１０７】
従って、駆動モータ５０ａ，５０ｂによりねじ軸４９ａ，４９ｂを正回転方向に回転すると、移動ブロック４６ａ，４６ｂが前進し、支持軸３０を介して８つの押圧ローラ９２〜９９をウェブＷに接近する方向に移動することができる。ここで、８つの押圧ローラ９２〜９９をウェブＷに接近する方向に移動し、走行するウェブＷにおける一方面から押圧する。すると、このウェブＷは、各押圧ローラ９２〜９９により押圧された部分が他方面側に突出することで波形状となる。そのため、ウェブＷは、印刷により供給されたインキや湿し水により幅方向に延びているものの、各押圧ローラ９２〜９９により波形状となることで、その幅方向の長さが短くなり、印刷前の長さに修正、つまり、ファンアウトを修正することができ、その結果、ウェブＷと印刷画像との見当ずれを調整することができる。
【０１０８】
そして、本実施例の幅見当調整装置９１では、第１調整ユニット１００と第２調整ユニット１０１ａ，１０１ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【０１０９】
即ち、第１調整ユニット１００における押圧ローラ９４〜９７の外径より、第２調整ユニット１０１ａ，１０１ｂにおける押圧ローラ９２，９３，９８，９９の外径が大きく設定されている。従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ９２〜９９をウェブＷに接近する方向に移動することで、各押圧ローラ９２〜９９によりウェブＷを押圧して波形状とする。このとき、外側領域にある押圧ローラ９２，９３，９８，９９の外径が大きいことから、この押圧ローラ９２，９３，９８，９９による押圧量（突出量）が、中央領域の押圧ローラ９４〜９７による押圧量（突出量）より大きくなる。そのため、ウェブＷは、幅方向の外側領域でテンションが低いものの、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１１０】
このように実施例４の幅見当調整装置にあっては、ウェブＷの幅方向における中央領域に配置される４つの押圧ローラ９４〜９７からなる第１調整ユニット１００と、ウェブＷの幅方向における外側領域に配置される４つの押圧ローラ９２，９３，９８，９９からなる第２調整ユニット１０１ａ，１０１ｂとを設け、第１調整ユニット１００における押圧ローラ９４〜９７の外径より、第２調整ユニット１０１ａ，１０１ｂにおける押圧ローラ９２，９３，９８，９９の外径を大きく設定している。
【０１１１】
従って、ウェブＷに対して、中央領域にある第１調整ユニット１００の押圧ローラ９４〜９７による押圧量（突出量）より、外側領域にある第２調整ユニット１０１ａ，１０１ｂの押圧ローラ９２，９３，９８，９９による押圧量（突出量）が大きくなるため、テンションが相違するウェブＷの幅方向における各位置でほぼ均一な見当調整量に適正に調整され、ウェブＷのファンアウトを適正に修正することができ、その結果、印刷品質を向上させることが可能となる。
【実施例５】
【０１１２】
図１０は、本発明の実施例５に係る幅見当調整装置を表す概略構成図である。なお、前述した実施例で説明したものと同様の機能を有する部材には同一の符号を付して重複する説明は省略する。
【０１１３】
実施例５において、図１０に示すように、幅見当調整装置１１１は、走行するウェブＷの一方面側に設けられている。この幅見当調整装置１１１において、ウェブＷの幅方向に沿って水平をなす支持軸３０がウェブＷと平行をなして配設されており、この支持軸３０には、ウェブＷの幅方向における全領域（中央領域及び外側領域）に均等間隔で配置される１０個の押圧ローラ１１２〜１２１が回転自在に支持されている。
【０１１４】
この場合、全ての押圧ローラ１１２〜１２１の外径は同じであるものの、ウェブＷの幅方向における中央領域に配置される４つの押圧ローラ１１５〜１１８の所定の単位長さ当たりの個数より、外側領域に配置される６つの押圧ローラ１１２〜１１４，１１９〜１２１の所定の単位長さ当たりの個数が多く設定されている。具体的には、中央領域に配置される４つの押圧ローラ１１５〜１１８の間隔より、外側領域に配置される６つの押圧ローラ１１２〜１１４，１１９〜１２１の間隔の方が小さくなっている。そして、支持軸３０と４つの押圧ローラ１１５〜１１８により第１調整ユニット１２２が構成され、支持軸３０と６つの押圧ローラ１１２〜１１４，１１９〜１２１により第２調整ユニット１２３ａ，１２３ｂが構成される。
【０１１５】
従って、駆動モータ５０ａ，５０ｂによりねじ軸４９ａ，４９ｂを正回転方向に回転すると、移動ブロック４６ａ，４６ｂが前進し、支持軸３０を介して１０個の押圧ローラ１１２〜１２１をウェブＷに接近する方向に移動することができる。ここで、１０個の押圧ローラ１１２〜１２１をウェブＷに接近する方向に移動し、走行するウェブＷにおける一方面から押圧する。すると、このウェブＷは、各押圧ローラ１１２〜１２１により押圧された部分が他方面側に突出することで波形状となる。そのため、ウェブＷは、印刷により供給されたインキや湿し水により幅方向に延びているものの、各押圧ローラ１１２〜１２１により波形状となることで、その幅方向の長さが短くなり、印刷前の長さに修正、つまり、ファンアウトを修正することができ、その結果、ウェブＷと印刷画像との見当ずれを調整することができる。
【０１１６】
そして、本実施例の幅見当調整装置１１１では、第１調整ユニット１２２と第２調整ユニット１２３ａ，１２３ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【０１１７】
即ち、第１調整ユニット１２２における押圧ローラ１１５〜１１８の単位長さ当たりの個数より、第２調整ユニット１２３ａ，１２３ｂにおける押圧ローラ１１２〜１１４，１１９〜１２１の単位長さ当たりの個数が多く設定されている。従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ１１２〜１２１をウェブＷに接近する方向に移動することで、各押圧ローラ１１２〜１２１によりウェブＷを押圧して波形状とする。このとき、外側領域にある押圧ローラ１１２〜１１４，１１９〜１２１の単位長さ当たりの個数が多いことから、この押圧ローラ１１２〜１１４，１１９〜１２１による単位長さ当たりの押圧量（突出量）が、中央領域の押圧ローラ１１４〜１１８による単位長さ当たりの押圧量（突出量）より大きくなる。そのため、ウェブＷは、幅方向の外側領域でテンションが低いものの、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１１８】
このように実施例５の幅見当調整装置にあっては、ウェブＷの幅方向における中央領域に配置される４つの押圧ローラ１１５〜１１８からなる第１調整ユニット１２２と、ウェブＷの幅方向における外側領域に配置される４つの押圧ローラ１１２〜１１４，１１９〜１２１からなる第２調整ユニット１２３ａ，１２３ｂとを設け、第１調整ユニット１２２における押圧ローラ１１５〜１１８の単位長さ当たりの個数より、第２調整ユニット１２３ａ，１２３ｂにおける押圧ローラ１１２〜１１４，１１９〜１２１の単位長さ当たりの個数を多く設定している。
【０１１９】
従って、ウェブＷに対して、中央領域にある第１調整ユニット１２２の押圧ローラ１１５〜１１８による単位長さ当たりの押圧量（突出量）より、外側領域にある第２調整ユニット１２３ａ，１２３ｂの押圧ローラ１１２〜１１４，１１９〜１２１による単位長さ当たりの押圧量（突出量）が多くなるため、テンションが相違するウェブＷの幅方向における各位置でほぼ均一な見当調整量に適正に調整され、ウェブＷのファンアウトを適正に修正することができ、その結果、印刷品質を向上させることが可能となる。
【実施例６】
【０１２０】
図１１は、本発明の実施例６に係る幅見当調整装置を表す概略構成図、図１２−１は、実施例６の幅見当調整装置における第２調整ユニットの押圧ローラを表す概略構成図、図１２−２は、実施例６の幅見当調整装置における第２調整ユニットの押圧ローラの作用を表す概略構成図である。なお、前述した実施例で説明したものと同様の機能を有する部材には同一の符号を付して重複する説明は省略する。
【０１２１】
実施例６において、図１１に示すように、幅見当調整装置１３１は、走行するウェブＷの一方面側に設けられている。この幅見当調整装置１３１において、ウェブＷの幅方向に沿って水平をなす支持軸３０がウェブＷと平行をなして配設されており、この支持軸３０には、ウェブＷの幅方向における全領域（中央領域及び外側領域）に均等間隔で配置される８つの押圧ローラ１３２〜１３９が回転自在に支持されている。
【０１２２】
この場合、ウェブＷの幅方向における外側領域に配置される４つの押圧ローラ１３２，１３３，１３８，１３９は、偏心可能であって、その位相を変更することで押圧量を変更可能となっている。この押圧ローラ１３２，１３３，１３８，１３９は、同様の構成をなしていることから、押圧ローラ１３２についてのみ詳細に説明する。即ち、押圧ローラ１３２において、図１２−１に示すように、回転中心Ｏ１とする支持軸３０には、回転中心Ｏ２とする偏心軸１４１が相対回転可能に装着され、この偏心軸１４１に回転中心Ｏ２とするローラ本体１４２が回転自在に支持されている。この場合、回転中心Ｏ１と回転中心Ｏ２との間には、所定の偏心量Ｄが設定されている。
【０１２３】
また、図１１に示すように、支持軸３０の各端部には、ウォームホイール１４３ａ，１４３ｂが固結され、このウォームホイール１４３ａ，１４３ｂには、調整モータ１４４ａ，１４４ｂのウォームギア１４５ａ，１４５ｂが噛み合っている。この場合、支持軸３０の各端部と取付レバー４５ａ，４５ｂの一端部とは、図示しないロータリジョイントにより回動自在に連結され、取付レバー４５ａ，４５ｂに対して支持軸３０が回動可能となっている。
【０１２４】
そのため、図１２−１に示す状態では、支持軸３０の回転中心Ｏ１からウェブＷを押圧するローラ本体１４２の外周面までの押圧距離Ｐ１が設定されている。一方、図１１に示すように、調整モータ１４４ａ，１４４ｂを駆動し、ウォームギア１４５ａ，１４５ｂ及びウォームホイール１４３ａ，１４３ｂを介して支持軸を１８０度回動すると、図１２−２に示すように、偏心軸１４１の位相が変更されることで、支持軸３０の回転中心Ｏ１からウェブＷを押圧するローラ本体１４２の外周面までの押圧距離Ｐ２が大きく設定されることとなり、押圧ローラ１３２によるウェブＷの押圧量を大きく変更することができる。
【０１２５】
この場合、支持軸３０と４つの押圧ローラ１３４〜１３７により第１調整ユニット１４６が構成され、支持軸３０と４つの押圧ローラ１３２，１３３，１３８，１３９により第２調整ユニット１４７ａ，１４７ｂが構成される。
【０１２６】
従って、図１１に示すように、駆動モータ５０ａ，５０ｂによりねじ軸４９ａ，４９ｂを正回転方向に回転すると、移動ブロック４６ａ，４６ｂが前進し、支持軸３０を介して８つの押圧ローラ１３２〜１３９をウェブＷに接近する方向に移動することができる。ここで、８つの押圧ローラ１３２〜１３９をウェブＷに接近する方向に移動し、走行するウェブＷにおける一方面から押圧する。すると、このウェブＷは、各押圧ローラ１３２〜１３９により押圧された部分が他方面側に突出することで波形状となる。そのため、ウェブＷは、印刷により供給されたインキや湿し水により幅方向に延びているものの、各押圧ローラ１３２〜１３９により波形状となることで、その幅方向の長さが短くなり、印刷前の長さに修正、つまり、ファンアウトを修正することができ、その結果、ウェブＷと印刷画像との見当ずれを調整することができる。
【０１２７】
そして、本実施例の幅見当調整装置１３１では、第１調整ユニット１４６と第２調整ユニット１４７ａ，１４７ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【０１２８】
即ち、事前に第２調整ユニット１４７ａ，１４７ｂにおける押圧ローラ１３２，１３３，１３８，１３９にて、図１２−１及び図１２−２に示すように、偏心軸１４１の位相を変更することで、支持軸３０の回転中心Ｏ１からウェブＷを押圧するローラ本体１４２の外周面までの押圧距離を変更することで、図１１に示すように、第２調整ユニット１４７ａ，１４７ｂにおける押圧ローラ１３２，１３３，１３８，１３９のウェブＷ側への突出量を、第１調整ユニット１４６における押圧ローラ１３４〜１３７のウェブＷ側への突出量より大きく設定する。
【０１２９】
従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ１３２〜１３９をウェブＷに接近する方向に移動することで、各押圧ローラ１３２〜１３９によりウェブＷを押圧して波形状とする。このとき、外側領域にある押圧ローラ１３２，１３３，１３８，１３９の突出量が大きいことから、この押圧ローラ１３２，１３３，１３８，１３９によるウェブＷの押圧量が、中央領域の押圧ローラ１３４〜１３７による押圧量より大きくなる。そのため、ウェブＷは、幅方向の外側領域でテンションが低いものの、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１３０】
このように実施例６の幅見当調整装置にあっては、ウェブＷの幅方向における中央領域に配置される４つの押圧ローラ１３４〜１３７からなる第１調整ユニット１４６と、ウェブＷの幅方向における外側領域に配置される４つの押圧ローラ１３２，１３３，１３８，１３９からなる第２調整ユニット１４７ａ，１４７ｂとを設け、第２調整ユニット１４７ａ，４７１ｂにおける押圧ローラ１３２，１３３，１３８，１３９を偏心可能とし、その位相を変更することで押圧量を変更可能としている。
【０１３１】
従って、ウェブＷに対して、中央領域にある第１調整ユニット１４６の押圧ローラ１３４〜１３７による押圧量（突出量）より、外側領域にある第２調整ユニット１４７ａ，１４７ｂの押圧ローラ１３２，１３３，１３８，１３９による押圧量（突出量）を大きく設定することで、テンションが相違するウェブＷの幅方向における各位置でほぼ均一な見当調整量に適正に調整され、ウェブＷのファンアウトを適正に修正することができ、その結果、印刷品質を向上させることが可能となる。
【実施例７】
【０１３２】
図１３は、本発明の実施例７に係る幅見当調整装置を表す概略構成図である。なお、前述した実施例で説明したものと同様の機能を有する部材には同一の符号を付して重複する説明は省略する。
【０１３３】
実施例７において、図１３に示すように、幅見当調整装置１５１は、走行するウェブＷの一方面側に設けられている。この幅見当調整装置１５１において、ウェブＷの幅方向に沿って水平をなす支持軸３０がウェブＷと平行をなして配設されており、この支持軸３０には、ウェブＷの幅方向における全領域（中央領域及び外側領域）に均等間隔で配置される８つの押圧ローラ３１〜３８が回転自在に支持されている。
【０１３４】
この場合、全ての押圧ローラ３１〜３８の外径は同じであるものの、ウェブＷの幅方向における中央領域に配置される４つの押圧ローラ３３〜３６より、外側領域に配置される４つの押圧ローラ３１，３２，３７，３８の方が、ウェブＷの下流側にある版胴１２ｂ及びブランケット胴１３ｂに接近して設けられている。具体的には、本実施例の幅見当調整装置１５１は、スタックｂよりウェブＷの走行方向における上流側に配置され、中央領域に配置される４つの押圧ローラ３３〜３６は、支持軸３０に直接回転自在に支持されるが、外側領域に配置される４つの押圧ローラ３１，３２，３７，３８は、支持軸３０に連結されたリンク１５２〜１５５を介して回転自在に支持されている。このリンク１５２〜１５５は、先端部が版胴１２ｂ及びブランケット胴１３ｂ側に延出されており、この先端部に支持される押圧ローラ３１，３２，３７，３８は、押圧ローラ３３〜３６より版胴１２ｂ及びブランケット胴１３ｂ側に接近して位置することとなる。
【０１３５】
そして、支持軸３０と４つの押圧ローラ３３〜３６により第１調整ユニット１５６が構成され、支持軸３０と４つの押圧ローラ３１，３２，３７，３８により第２調整ユニット１５７ａ，１５７ｂが構成される。
【０１３６】
従って、駆動モータ５０ａ，５０ｂによりねじ軸４９ａ，４９ｂを正回転方向に回転すると、移動ブロック４６ａ，４６ｂが前進し、支持軸３０を介して８つの押圧ローラ３１〜３８をウェブＷに接近する方向に移動することができる。ここで、８つの押圧ローラ３１〜３８をウェブＷに接近する方向に移動し、走行するウェブＷにおける一方面から押圧する。すると、このウェブＷは、各押圧ローラ３１〜３８により押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【０１３７】
そして、本実施例の幅見当調整装置１５１では、第１調整ユニット１５６と第２調整ユニット１５７ａ，１５７ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【０１３８】
即ち、第１調整ユニット１５６における押圧ローラ３３〜３６より、第２調整ユニット１５７ａ，１５７ｂにおける押圧ローラ３１，３２，３７，３８の方が、ウェブＷの走行方向の下流側にある版胴１２ｂ及びブランケット胴１３ｂに接近して設けられている。従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ３１〜３８をウェブＷに接近する方向に移動することで、各押圧ローラ３１〜３８によりウェブＷを押圧して波形状とする。
【０１３９】
このとき、ウェブＷは、各押圧ローラ３１〜３８に押圧されて波形状となってファンアウトが修正されるが、テンションが作用していることで、版胴１２ｂ及びブランケット胴１３ｂに至る間に若干量だけ幅方向に広がる。しかし、外側領域にある押圧ローラ３１，３２，３７，３８の方が、版胴１２ｂ及びブランケット胴１３ｂに接近して設けられていることから、ウェブＷにおける広がり量は、押圧ローラ３３〜３６のよる押圧に対して、押圧ローラ３１，３２，３７，３８による押圧の方が少ない。そのため、外側領域の押圧ローラ３１，３２，３７，３８による押圧量（突出量）が、中央領域の押圧ローラ３３〜３６による押圧量（突出量）より大きくなる。その結果、ウェブＷは、幅方向の外側領域でテンションが低いものの、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１４０】
このように実施例７の幅見当調整装置にあっては、ウェブＷの幅方向における中央領域に配置される４つの押圧ローラ３３〜３６からなる第１調整ユニット１５６と、ウェブＷの幅方向における外側領域に配置される４つの押圧ローラ３１，３２，３７，３８からなる第２調整ユニット１５７ａ，１５７ｂとを設け、第２調整ユニット１５７ａ，１５７ｂにおける押圧ローラ３１，３２，３７，３８を、第１調整ユニット１５６における押圧ローラ３３〜３６より、ウェブＷの走行方向の下流側にある版胴１２ｂ及びブランケット胴１３ｂに接近して設けている。
【０１４１】
従って、ウェブＷに対して、中央領域にある第１調整ユニット１５６の押圧ローラ３３〜３６による押圧量（突出量）より、外側領域にある第２調整ユニット１５７ａ，１５７ｂの押圧ローラ３１，３２，３７，３８による押圧量（突出量）が多くなるため、テンションが相違するウェブＷの幅方向における各位置でほぼ均一な見当調整量に適正に調整され、ウェブＷのファンアウトを適正に修正することができ、その結果、印刷品質を向上させることが可能となる。
【０１４２】
なお、本実施例にて、第２調整ユニット１５７ａ，１５７ｂにおける押圧ローラ３１，３２，３７，３８をリンク１５２〜１５５により版胴１２ｂ及びブランケット胴１３ｂに接近して設けたが、この構成に限定されるものではない。例えば、リンク１５２〜１５５を支持軸３０に対して回動自在とし、押圧ローラ３１，３２，３７，３８とウェブＷとの距離を変更可能とすることで、中央領域にある押圧ローラ３３〜３６による押圧量（突出量）より、外側領域にある押圧ローラ３１，３２，３７，３８による押圧量（突出量）を多く設定してもよい。また、第２調整ユニット１５７ａ，１５７ｂをリンクにより構成したが、第１調整ユニットと第２調整ユニットを別体とし、版胴１２ｂ及びブランケット胴１３ｂに接近した位置に配置し、第２調整ユニットを第１調整ユニットとは別に駆動することで、押圧ローラ３１〜３８の押付量調整するようにしてもよい。
【実施例８】
【０１４３】
図１４は、本発明の実施例８に係る幅見当調整装置を表す概略構成図である。なお、前述した実施例で説明したものと同様の機能を有する部材には同一の符号を付して重複する説明は省略する。
【０１４４】
実施例８において、図１４に示すように、幅見当調整装置１６１は、走行するウェブＷの一方面側及び多方面側に設けられている。この幅見当調整装置１６１において、ウェブＷの一方面側にて、このウェブＷの幅方向に沿って水平をなす支持軸３０がウェブＷと平行をなして配設されており、この支持軸３０には、ウェブＷの幅方向における全領域（中央領域及び外側領域）に８つの押圧ローラ３１〜３８が回転自在に支持されている。この場合、全ての押圧ローラ３１〜３８は、外径が同じであり、且つ、均等間隔で配置されている。
【０１４５】
ウェブＷの他方面側にて、ウェブＷの幅方向における外側領域に２つのエアノズル１６２，１６３が配置されている。このエアノズル１６２，１６３は、図示しないエア供給源に連結され、ウェブＷの他方面に向けてエアを噴射可能となっている。
【０１４６】
この場合、支持軸３０と８つの押圧ローラ３１〜３８により第１調整ユニット１６４が構成され、２つのエアノズル１６２，１６３などにより第２調整ユニット１６５ａ，１６６ｂが構成される。
【０１４７】
従って、駆動モータ５０ａ，５０ｂによりねじ軸４９ａ，４９ｂを正回転方向に回転すると、移動ブロック４６ａ，４６ｂが前進し、支持軸３０を介して８つの押圧ローラ３１〜３８をウェブＷに接近する方向に移動することができる。ここで、８つの押圧ローラ３１〜３８をウェブＷに接近する方向に移動し、走行するウェブＷにおける一方面から押圧する。すると、このウェブＷは、各押圧ローラ３１〜３８により押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【０１４８】
そして、本実施例の幅見当調整装置１６１では、第１調整ユニット１６４と第２調整ユニット１６５ａ，１６５ｂにより、ウェブＷの幅方向における中央領域の押圧量と、ウェブＷの幅方向における外側領域の押圧量とを異なる値に調整可能となっている。具体的には、ウェブＷの幅方向における中央領域の押圧量よりウェブＷの幅方向における外側領域の押圧量を大きく調整している。
【０１４９】
即ち、第１調整ユニット１６４における押圧ローラ３１〜３８をウェブＷにおける一方面側の全領域に等間隔で設け、第２調整ユニット１６５ａ，１６５ｂにおけるエアノズル１６２，１６３をウェブＷにおける他方面側の外側領域に設けている。従って、制御装置は、駆動モータ５０ａ，５０ｂによりねじ軸４９ａ，４９ｂを正回転方向に回転して移動ブロック４６ａ，４６ｂを前進させ、支持軸３０を介して全ての押圧ローラ３１〜３８をウェブＷに接近する方向に移動することで、各押圧ローラ３１〜３８によりウェブＷの一方面を押圧して波形状とする。すると、ウェブＷは、幅方向の全領域が波形状となることで幅方向の長さが短くなるものの、幅方向の外側領域ではテンションが低いため、ここの領域だけ小さな波形状となってしまう。
【０１５０】
そのため、制御装置は、各エアノズル１６２，１６３からウェブＷの多方面に向けてエアを噴射することで、各噴射エアによりウェブＷの外側領域だけを押圧して波形状とする。すると、ウェブＷは、幅方向の外側領域ではテンションが低いものの、各押圧ローラ３１，３２，３７，３８及びエアノズル１６２，１６３からの噴射エアによる押圧量（突出量）が、中央領域の押圧ローラ３３〜３６の押圧量（突出量）より大きくなることから、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１５１】
このように実施例８の幅見当調整装置にあっては、ウェブＷの一方面側における幅方向の全領域に配置される８つの押圧ローラ３１〜３８からなる第１調整ユニット１６４と、ウェブＷの多方面側における幅方向の外側領域に配置される２つのエアノズル１６２，１６３からなる第２調整ユニット１６５ａ，１６５ｂとを設けている。
【０１５２】
従って、ウェブＷに対して、中央領域にある第１調整ユニット１６４の押圧ローラ３３〜３６による押圧量（突出量）より、外側領域にある第１調整ユニット１６４の押圧ローラ３１，３２，３７，３８及び第２調整ユニット１６５ａ，１６５ｂのエアノズル１６２，１６３からの噴射エアによる押圧量（突出量）が大きくなるため、テンションが相違するウェブＷの幅方向における各位置でほぼ均一な見当調整量に適正に調整され、ウェブＷのファンアウトを適正に修正することができ、その結果、印刷品質を向上させることが可能となる。
【０１５３】
また、実施例８の幅見当調整装置では、第１調整ユニット１６４の押圧ローラ３１〜３８をウェブＷにおける一方面側の中央領域及び外側領域に等間隔で設け、第２調整ユニット１６５ａ，１６５ｂのエアノズル１６２，１６３をウェブＷにおける他方面側の外側領域に設けている。従って、第２調整ユニット１６５ａ，１６５ｂを第１調整ユニット１６４の邪魔にならずに配置することができ、構造の簡素化を可能とすることができる。
【０１５４】
なお、上述した各実施例では、押圧部材として、第１調整ユニットに対して押圧ローラを適用し、第２調整ユニットに対して押圧ローラやエアノズルを適用したが、第１調整ユニットに対してエアノズルを適用してもよい。また、全ての押圧部材をエアノズルとしてもよい。更に、押圧部材は、押圧ローラやエアノズルに限定されるものではなく、押圧板やスリットノズルなどとしてもよい。また、押圧部材を、ウェブＷの一方面側だけでなく、ウェブＷの他方面側にも設けてもよい。また、押圧ローラの駆動装置を駆動モータ５０ａ，５０ｂやねじ軸４９ａ，４９ｂにより構成したが、ラック＆ピニオン機構、油圧またはエアシリンダ機構などとしてもよい。
【０１５５】
また、上述した各実施例では、第１調整ユニットにおける押圧部材を４個、第２調整ユニットにおける押圧部材を左右にそれぞれ２〜３個としたが、この数に限定されるものではなく、ウェブＷの幅などに応じて適宜設定すればよいものである。この場合、中央領域にある第１調整ユニットにおける押圧部材は複数個必要であるが、外側領域にある第２調整ユニットにおける押圧部材は１個であってもよく、必ずしも最外側になくてもよい。
【実施例９】
【０１５６】
図１５は、本発明の実施例９に係る幅見当調整装置における押圧部材を表す概略図である。
【０１５７】
実施例９の幅見当調整装置は、上述した各実施例における押圧部材の変形例を表すものであり、押圧ローラとエアノズルを合わせもった構成となっている。即ち、図１５に示すように、走行するウェブＷの幅方向（図１５にて、紙面直交方向）に沿って支持フレーム１７１が架設されており、この支持フレーム１７１上には、アクチュエータ１７２が固定されている。このアクチュエータ１７２は、駆動ロッド１７３がウェブＷの一方面側に延出され、先端部に取付ブラケット１７４を介して押圧部材としての押圧ブロック１７５が取付けられている。
【０１５８】
この押圧ブロック１７５において、ブロック本体（押圧部材本体）１７６は、中空形状をなし、ウェブＷの幅方向に対して所定の厚さを有し、走行するウェブＷに対向する前面部に曲面１７７が形成されている。この曲面１７７は、ウェブＷの幅方向に沿う中心軸をもつ曲面であって、ほぼ半円形状となっている。この曲面１７７には、ブロック本体１７６内のエア（流体）をウェブＷに向けて噴出する多数の噴出孔１７８が形成されている。また、ブロック本体１７６には、エア供給配管１７９が連結されている。
【０１５９】
なお、この押圧ブロック１７５は、ウェブＷの一方面側に幅方向に所定間隔をあけて複数、例えば、８個設けられている。
【０１６０】
従って、ウェブＷが上方に走行するとき、押圧ブロック１７５の内部にエアを供給して多数の噴出孔１７８からエアを噴射すると共に、アクチュエータ１７２によりこの押圧ブロック１７５をウェブＷに接近する方向に移動する。すると、押圧ブロック１７５の曲面１７７が走行するウェブＷをその一方面から押圧し、このウェブＷは、各押圧ブロック１７５により押圧された部分が他方面側に突出することで波形状となる。このとき、押圧ブロック１７５は、曲面１７７にある多数の噴出孔１７８からエアが噴射されることで、曲面１７７がウェブＷの一方面とは直接接触することがなく、ウェブＷの損傷や印刷面の劣化が防止される。
【０１６１】
そして、ウェブＷは、印刷により供給されたインキや湿し水により幅方向に延びているものの、各押圧ブロック１７５により波形状となることで、その幅方向の長さが短くなり、印刷前の長さに修正、つまり、ファンアウトを修正することができ、その結果、ウェブＷと印刷画像との見当ずれを調整することができる。
【０１６２】
このように実施例９の幅見当調整装置にあっては、押圧ブロック１７５を、ウェブＷの幅方向に沿う中心軸をもつ曲面１７７を有する中空形状をなすブロック本体１７６と、この曲面１７７に形成されて押圧ブロック本体１７６内のエアをウェブＷに向けて噴出する多数の噴出孔１７８とで構成している。
【０１６３】
従って、押圧ブロック１７５の曲面１７７がウェブＷを押圧してファンアウトを修正するとき、押圧ブロック１７５の曲面１７７とウェブＷとの間にエアが存在することとなり、曲面１７７がウェブＷの一方面と接触することがなく、ウェブＷの損傷や印刷面の劣化を防止することができ、適正な波形状としてファンアウトを修正することができる。
【０１６４】
なお、この実施例９にて、押圧ブロック１７５におけるブロック本体１７６の曲面１７７多数の噴出孔１７８を形成したが、その数に限定されるものではなく、噴出孔１７８を１つ以上形成すればよいものである。
【実施例１０】
【０１６５】
図１６は、本発明の実施例１０に係る幅見当調整装置を表す概略構成図である。なお、前述した実施例で説明したものと同様の機能を有する部材には同一の符号を付して重複する説明は省略する。
【０１６６】
実施例１０において、図１６に示すように、幅見当調整装置１８１は、走行するウェブＷの一方面側に設けられている。この幅見当調整装置１８１において、ウェブＷの幅方向に沿って水平をなす支持軸３０がウェブＷと平行をなして配設されており、この支持軸３０には、８つの押圧ローラ３１ａ，３２〜３７，３８ａが均等間隔で設けられている。
【０１６７】
そして、ウェブＷの幅方向における中央領域に配置される４つの押圧ローラ３３〜３６は、支持軸３０に対して回転自在に支持されている。この場合、支持軸３０と４つの押圧ローラ３３〜３６により第１調整ユニット１８２が構成される。一方、ウェブＷの幅方向における中央領域よりウェブＷの幅方向における外側領域には、支持軸３０の軸方向における各端部にケース４０ａ，４０ｂが固定され、このケース４０ａ，４０ｂに移動部材４１ａ，４１ｂが移動自在に支持され、支持軸４２ａ，４２ｂを介して押圧ローラ３１ａ，３２，３７，３８ａが回転自在に支持されている。そして、各移動部材４１ａ，４１ｂは、アクチュエータ４３ａ，４３ｂにより往復移動可能となっている。
【０１６８】
本実施例では、６つの押圧ローラ３２〜３７の外径より、最外側に配置される２つの押圧ローラ３１ａ，３８ａの外径の方が大きいものに設定されている。この場合、ケース４０ａ，４０ｂと移動部材４１ａ，４１ｂと支持軸４２ａ，４２ｂと押圧ローラ３１ａ，３２，３７，３８ａにより、第１調整ユニット１８２よりウェブＷの幅方向における外側領域に配置される第２調整ユニット１８３ａ，１８３ｂが構成される。更に、押圧ローラ３１ａ，３８ａにより、第３調整ユニット１８４ａ，１８４ｂが構成される。また、アクチュエータ４３ａ，４３ｂが本発明の第２、第３駆動装置として機能する。
【０１６９】
従って、駆動モータ５０ａ，５０ｂによりねじ軸４９ａ，４９ｂを正回転方向に回転すると、移動ブロック４６ａ，４６ｂが前進し、各ケース４０ａ，４０ｂ及び支持軸３０等を介して８つの押圧ローラ３１ａ，３２〜３７，３８ａをウェブＷに接近する方向に移動することができる。また、アクチュエータ４３ａ，４３ｂにより各移動部材４１ａ，４１ｂ等を介して、４つの押圧ローラ３１，３２，３７，３８をウェブＷに接近する方向に移動することができる。
【０１７０】
ここで、８つの押圧ローラ３１ａ，３２〜３７，３８ａをウェブＷに接近する方向に移動し、走行するウェブＷにおける一方面から押圧する。すると、このウェブＷは、各押圧ローラ３１ａ，３２〜３７，３８ａにより押圧された部分が他方面側に突出することで波形状となる。そのため、ウェブＷは、印刷により供給されたインキや湿し水により幅方向に延びているものの、各押圧ローラ３１〜３８により波形状となることで、その幅方向の長さが短くなり、印刷前の長さに修正、つまり、ファンアウトを修正することができ、その結果、ウェブＷと印刷画像との見当ずれを調整することができる。
【０１７１】
そして、本実施例の幅見当調整装置１８１では、第１調整ユニット１８２と第２調整ユニット１８３ａ，１８３ｂと第３調整ユニット１８４ａ，１８４ｂにより、ウェブＷの幅方向における中央領域の押圧量と、ウェブＷの幅方向における外側領域の押圧量と、ウェブＷの幅方向における最外側の押圧量とを異なる値に調整可能となっている。具体的には、ウェブＷの幅方向における中央領域の押圧量よりウェブＷの幅方向における外側領域の押圧量を大きく調整し、ウェブＷの幅方向における外側領域の押圧量よりウェブＷの幅方向における最外側の押圧量を大きく調整している。
【０１７２】
即ち、制御装置５１は、アクチュエータ４３ａ，４３ｂにより４つの押圧ローラ３１ａ，３２，３７，３８ａのみをウェブＷに接近する方向に移動することで、各押圧ローラ３１ａ，３２，３７，３８ａによりウェブＷの外側領域だけを押圧して波形状とする。すると、ウェブＷは、幅方向の外側領域ではテンションが低いものの、各押圧ローラ３１ａ，３２，３７，３８ａの押圧量（突出量）が、中央領域の押圧ローラ３３〜３６の押圧量（突出量）より大きくなる。また、押圧ローラ３２，３７の外径より、第２調整ユニット１８４ａ，１８４ｂにおける押圧ローラ３１ａ，３８ａの外径が大きく設定されている。そのため、各押圧ローラ３１ａ，３８ａの押圧量（突出量）が、押圧ローラ３２，３７の押圧量（突出量）より大きくなる。その結果、ウェブＷは、幅方向にほぼ均一な波形状となり、幅方向の長さが適正長さまでに短くなる。その結果、ウェブＷは、幅方向の長さが印刷前の長さに補正され、ファンアウトを適正に修正することができる。
【０１７３】
このように実施例１０の幅見当調整装置１８１にあっては、ウェブＷの幅方向における中央領域に配置される４つの押圧ローラ３３〜３６からなる第１調整ユニット１８２と、この第１調整ユニット１８２よりウェブＷの幅方向における外側領域に配置される４つの押圧ローラ３１ａ，３２，３７，３８ａからなる第２調整ユニット１８３ａ，１８３ｂと、ウェブＷの幅方向における最外側に配置される２つの押圧ローラ３１ａ，３８ａからなる第３調整ユニット１８４ａ，１８４ｂを設け、それぞれの押圧量とを異なる値に調整可能（調整手段）としている。
【０１７４】
従って、ウェブＷに対して、第１調整ユニット１８２と第２調整ユニット１８３ａ，１８３ｂと第３調整ユニット１８４ａ，１８４ｂにより中央領域の押圧量と外側領域の押圧量と最外側の押圧量とが異なる値に調整されるため、テンションが相違するウェブＷの幅方向における各位置でほぼ均一な見当調整量に適正に調整され、ウェブＷのファンアウトを適正に修正することができ、その結果、印刷品質を向上させることが可能となる。即ち、ウェブＷのファンアウト量は、幅方向における最外側が最も大きいことから、第３調整ユニット１８４ａ，１８４ｂを設けることで、このファンアウトを適正に修正することができる。
【０１７５】
なお、この実施例１０では、第３調整ユニット１８４ａ，１８４ｂを外径の大きい押圧ローラ３１ａ，３８ａにより構成したが、この構成に限定されるものではない。例えば、押圧ローラ３１ａ，３２，３７，３８ａを同径とし、第３調整ユニットとして、押圧ローラ３１ａ，３８ａとこれを移動する第３駆動装置を設けて構成してもよい。また、２つの押圧ローラ３２，３７により第２調整ユニットを構成し、２つの押圧ローラ３１ａ，３８ａにより第３調整ユニットを構成し、各押圧ローラ３２，３７を移動する第２駆動装置を設けると共に、各押圧ローラ３１ａ，３８ａを移動する第３駆動装置を設けてもよい。更に、第３調整ユニットをエアノズルとしてもよい。
【産業上の利用可能性】
【０１７６】
本発明に係る折機は、ウェブの幅方向における中央領域の押圧量とウェブの幅方向における外側領域の押圧量とを異なる値に調整可能とすることで、ウェブのファンアウトを適正に修正することで印刷品質を向上させることができるものであり、いずれの印刷機にも適用することができる。
【符号の説明】
【０１７７】
Ｒ  給紙装置
Ｒ１〜Ｒ８  給紙ユニット
Ｕ  印刷装置
Ｕ１〜Ｕ６，Ｕ１１〜Ｕ６２  印刷ユニット
Ｄ  ウェブパス装置
Ｄ１，Ｄ２  ウェブパスユニット
Ｆ  折機
Ｆ１，Ｆ２  折ユニット
２１，２２，２３，６１，７１，９１，１１１，１３１，１５１，１６１，１８１  幅見当調整装置
３１〜３８，９２〜９９，１１２〜１２１，１３２〜１３９，３１ａ，３８ａ  押圧ローラ（押圧部材）
３９，６２，８５，１００，１２２，１４６，１５６，１６４，１８２  第１調整ユニット
４０ａ，４０ｂ  ケース
４３ａ，４３ｂ  アクチュエータ（第２駆動装置、第３駆動装置）
４４ａ，４４ｂ，６６ａ，６６ｂ，８６ａ，８６ｂ，１０１ａ，１０１ｂ，１２３ａ，１２３ｂ，１４７ａ，１４７ｂ，１５７ａ，１５７ｂ，１６５ａ，１６５ｂ，１８３ａ，１８３ｂ  第２調整ユニット
５０ａ，５０ｂ  駆動モータ（第１駆動装置）
５１  制御装置
６３ａ，６３ｂ，１６２，１６３  エアノズル
６５ａ，６５ｂ  減圧弁（第２駆動装置）
７８，７９  アクチュエータ（第１駆動装置）
７７，８０  アクチュエータ（第２駆動装置）
１４１  偏心軸
１４２  ローラ本体
１５２〜１５５  リンク
１７５  押圧ブロック（押圧部材）
１８４ａ，１８４ｂ  第３調整ユニット
Ｗ  ウェブ
【図１】
2011020811.tif 000003
【図２】
2011020811.tif 000004
【図３】
2011020811.tif 000005
【図４】
2011020811.tif 000006
【図５】
2011020811.tif 000007
【図６】
2011020811.tif 000008
【図７】
2011020811.tif 000009
【図８】
2011020811.tif 000010
【図９】
2011020811.tif 000011
【図１０】
2011020811.tif 000012
【図１１】
2011020811.tif 000013
【図１２−１】
2011020811.tif 000014
【図１２−２】
2011020811.tif 000015
【図１３】
2011020811.tif 000016
【図１４】
2011020811.tif 000017
【図１５】
2011020811.tif 000018
【図１６】
2011020811.tif 000019